(57)【要約】【課題】ユーザが所望するコンテンツを容易に特定できる。【解決手段】コンテンツの提供する情報源と、情報源をグルーピングした情報源種類とを対応付けて記憶する情報源対応テーブル１５２と、表示対象となるコンテンツ毎に、情報源対応テーブルにおいて、当該コンテンツの情報源と対応付けられた情報源種類を、コンテンツのメタデータと対応付けて取得するメタデータ取得部１０３と、情報源種類と、表示する色と、を対応付けて記憶する情報源種類表示色対応テーブル１５４と、コンテンツの情報源と対応付けられた情報源種類と、情報源種類表示色対応テーブルで対応付けられた表示色で、当該コンテンツのメタデータとして含まれる情報を表示する表示制御部１０６と、を備える。【選択図】        図１
2010055429.tif 000002
【特許請求の範囲】
【請求項１】
コンテンツの提供元と、当該提供元をグルーピングしたカテゴリを示すカテゴリ情報と、を対応付けて記憶する種別記憶部と、
表示対象となるコンテンツ毎に、前記種別記憶部において、当該コンテンツの提供元と対応付けられたカテゴリ情報を、前記コンテンツの情報と対応付けて取得する取得部と、
前記カテゴリ情報と、カテゴリ情報毎に表示を異ならせるための表示態様と、を対応付けて記憶する表示態様記憶部と、
前記コンテンツの情報と対応付けられた前記カテゴリ情報と、前記表示態様記憶部で対応付けられた前記表示態様で、当該コンテンツの情報を表示する表示部と、
を備えることを特徴とするコンテンツ表示装置。
【請求項２】
取得したコンテンツの情報に対する検索条件を指定する指定部と、
指定された検索条件で、取得した前記コンテンツの情報から、前記検索条件に一致したコンテンツの情報を検索する検索部と、をさらに備え、
前記表示部は、検索された前記コンテンツの情報を、前記表示態様で表示すること、
を特徴とする請求項１に記載のコンテンツ表示装置。
【請求項３】
画面情報と、検索対象となる前記コンテンツの提供元と、を対応付けて記憶する対応記憶部と、
検索前に表示された画面を示す画面情報を取得する画面情報取得部と、をさらに備え、
前記検索部は、さらに、取得した前記画面情報と前記対応記憶部で対応付けられた前記前記コンテンツの提供元で提供している前記コンテンツの情報を、前記検索条件による検索対象とすること、
を特徴とする請求項２に記載のコンテンツ表示装置。
【請求項４】
前記対応記憶部は、番組表を示す画面情報と、当該画面情報において表示されていた前記コンテンツの提供元と、を対応付けて記憶すること、
を特徴とする請求項３に記載のコンテンツ表示装置。
【請求項５】
検索のキーとなるコンテンツの提供元と、検索対象となるコンテンツの提供元とを対応付けて記憶する提供元記憶部と、
検索のキーとなるコンテンツの提供元を取得する提供元取得部と、をさらに備え、
前記検索部は、さらに、取得した前コンテンツの提供元と前記提供元記憶部で対応付けられた検索対象となるコンテンツの提供元で、提供している前記コンテンツの情報を取得すること、
を特徴とする請求項１又は２に記載のコンテンツ表示装置。
【請求項６】
コンテンツ表示装置で実行されるコンテンツ表示方法であって、
前記コンテンツ表示装置は、コンテンツの提供元と、当該提供元をグルーピングしたカテゴリを示すカテゴリ情報と、を対応付けて記憶する種別記憶部と、
前記カテゴリ情報と、カテゴリ情報毎に表示を異ならせるための表示態様と、を対応付けて記憶する表示態様記憶部と、を備え、
取得部が、表示対象となるコンテンツ毎に、前記種別記憶部において、当該コンテンツの提供元と対応付けられたカテゴリ情報を、前記コンテンツの情報と対応付けて取得する取得ステップと、
表示部が、前記コンテンツの情報と対応付けられた前記カテゴリ情報と、前記表示態様記憶部で対応付けられた前記表示態様で、当該コンテンツの情報を表示する表示ステップと、
を含むことを特徴とするコンテンツ表示方法。
【請求項７】
指定部が、取得したコンテンツの情報に対する検索条件を指定する指定ステップと、
検索部が、指定された検索条件で、取得した前記コンテンツの情報から、前記検索条件に一致したコンテンツの情報を検索する検索ステップと、をさらに含み、
前記表示ステップは、検索された前記コンテンツの情報を、前記表示態様で表示すること、
を特徴とする請求項６に記載のコンテンツ表示方法。
【請求項８】
前記コンテンツ表示装置は、画面情報と、検索対象となる前記コンテンツの提供元と、を対応付けて記憶する対応記憶を、さらに備え、
画面情報取得部が、検索前に表示された画面を示す画面情報を取得する画面情報取得ステップと、をさらに含み、
前記検索ステップは、さらに、取得した前記画面情報と前記対応記憶部で対応付けられた前記前記コンテンツの提供元で提供している前記コンテンツの情報を、前記検索条件による検索対象とすること、
を特徴とする請求項７に記載のコンテンツ表示方法。
【発明の詳細な説明】
【技術分野】
【０００１】
複数の提供先のコンテンツの情報を表示するコンテンツ表示装置及びコンテンツ表示方法に関するものである。
【背景技術】
【０００２】
近年、ＡＶ機器のコンテンツ保存能力の拡大や機器内に留まらない機器間又はネットワーク上に存在するコンテンツとのシームレス性の拡大などにより、ユーザがアクセス可能なコンテンツ数は急速に増加してきている。そして、このようなコンテンツを選択視聴するための受信装置が開示されている（例えば、特許文献１参照）。
【０００３】
上記特許文献１の受信装置では、ユーザが所望するコンテンツを表示する場合、コンテンツ一覧表示からユーザによりコンテンツの選択操作がなされる。そして、選択されたコンテンツが機器内に蓄積されている場合は、そのコンテンツを読み出してデータ表示部に表示し、一方、選択されたコンテンツが機器の外部に存在する場合は、そのコンテンツを受信してデータ表示部に表示するものである。
【０００４】
【特許文献１】特開２００１−２９２３８３号公報
【発明の開示】
【発明が解決しようとする課題】
【０００５】
しかしながら、ＡＶ機器などでは、ＨＤＤ（Hard Disk Drive）などの記憶媒体の大容量化が進んでいることにより、視聴を所望するコンテンツを検索する場合に、多くの過程を経なければならない。さらに、ネットワーク上の映像音声データ（コンテンツ）も表示対象に含めると、参照可能なコンテンツの数が膨大となってしまう。従って、これら提供先が異なるコンテンツの情報をすべてユーザに対して一覧として表示した場合に、ユーザが所望するコンテンツの情報を特定することが困難であった。
【０００６】
本発明は、上記に鑑みてなされたものであって、膨大なコンテンツから、ユーザが所望するコンテンツを容易に特定できるコンテンツ表示装置及びコンテンツ表示方法を得ることを目的とする。
【０００７】
上述した課題を解決し、目的を達成するために、本発明は、コンテンツの提供元と、当該提供元をグルーピングしたカテゴリを示すカテゴリ情報と、を対応付けて記憶する種別記憶部と、表示対象となるコンテンツ毎に、前記種別記憶部において、当該コンテンツの提供元と対応付けられたカテゴリ情報を、前記コンテンツの情報と対応付けて取得する取得部と、前記カテゴリ情報と、カテゴリ情報毎に表示を異ならせるための表示態様と、を対応付けて記憶する表示態様記憶部と、前記コンテンツの情報と対応付けられた前記カテゴリ情報と、前記表示態様記憶部で対応付けられた前記表示態様で、当該コンテンツの情報を表示する表示部と、を備えることを特徴とするコンテンツ表示装置である。
【０００８】
また、本発明は、コンテンツ表示装置で実行されるコンテンツ表示方法であって、前記コンテンツ表示装置は、コンテンツの提供元と、当該提供元をグルーピングしたカテゴリを示すカテゴリ情報と、を対応付けて記憶する種別記憶部と、前記カテゴリ情報と、カテゴリ情報毎に表示を異ならせるための表示態様と、を対応付けて記憶する表示態様記憶部と、を備え、取得部が、表示対象となるコンテンツ毎に、前記種別記憶部において、当該コンテンツの提供元と対応付けられたカテゴリ情報を、前記コンテンツの情報と対応付けて取得する取得ステップと、表示部が、前記コンテンツの情報と対応付けられた前記カテゴリ情報と、前記表示態様記憶部で対応付けられた前記表示態様で、当該コンテンツの情報を表示する表示ステップと、を含むことを特徴とするコンテンツ表示方法である。
【発明の効果】
【０００９】
本発明によれば、コンテンツの提供元をグルーピングしたカテゴリ別に、コンテンツの情報の表示態様を変えることで、提供元が多くともコンテンツの分別が容易になり、ユーザは所望するコンテンツを容易に特定できるという効果を奏する。
【発明を実施するための最良の形態】
【００１０】
以下に添付図面を参照して、この発明にかかるコンテンツ表示装置およびコンテンツ表示方法の最良な実施の形態を詳細に説明する。なお、以下の実施の形態においては、本発明にかかるコンテンツ表示装置をテレビジョン（Television：ＴＶ）に適用した例を示すが、これに限定されることなく、表示装置などにおいて映像等のコンテンツを表示できるものであれば、本発明を適用することができる。
【００１１】
次に、表示処理装置１００の機能構成について説明する。図１は、実施の形態にかかる表示処理装置１００の構成を示すブロック図である。図１に示すように、表示処理装置１００は、電子番組表記憶部１５０と、メタデータ取得テーブル１５１と、情報源対応テーブル１５２と、状態遷移テーブル１５３と、情報源種類表示色対応テーブル１５４と、録画番組記憶部１６０と、表示部１７０と、放送受信部１０８と、映像再生部１０７と、ＩＰＴＶ（Internet  Protocol  TeleVision）接続部１８０と、を備えており、ＩＰＴＶサーバ２００とネットワークを介して接続されている。
【００１２】
また、表示処理装置１００は、ＡＳＩＣやＣＰＵ等の処理装置、表示処理装置１００の動作を制御する所定のプログラムが格納されたＲＯＭや当該処理装置のワーク領域となるＲＡＭ等の記憶装置を備えており（ハードウェア構成については後述する）、リモコン操作受付部１０１と、メタデータ検索部１０２と、メタデータ取得部１０３と、関連度算出部１０４と、表示情報生成部１０５と、表示制御部１０６と、情報源選択部１０９と、検索キー指定部１１０と、状態レジスタ１１１と、状態指示部１１２と、の機能部を実現する。
【００１３】
ＩＰＴＶサーバ２００は、ＩＰを利用してテレビ番組や映画などの映像を配信するサービスを提供するサーバであり、表示処理装置１００からの要求により、当該映像等のコンテンツ、該コンテンツのメタデータを配信する。
【００１４】
ＩＰＴＶ接続部１８０は、表示処理装置１００とＩＰＴＶサーバ２００とを接続するインターフェースである。
【００１５】
電子番組表記憶部１５０は、電子番組表（ＥＰＧ：Electronic  Program  Guide）を管理・配信している外部サーバから取得した電子番組表を記憶するＨＤＤやメモリ等の記憶媒体である。具体的には、インターネットなどのネットワーク網に接続されたサービス提供者のサーバ装置から、通信部（不図示）を介してＴＶ、ＣＡＴＶ、ＣＳ放送、ＢＳ放送などの電子番組表を取得し、取得した電子番組表を記憶している。ここで、電子番組表には、現在から未来のある時点（例えば、１週間後）までに放送される番組に関する情報が含まれているものとする。
【００１６】
録画番組記憶部１６０は、映像等のコンテンツを記憶するＨＤＤやメモリ等の記憶媒体である。例えば、表示処理装置１００がＨＤＤを備えたＴＶである場合は、録画番組記憶部１６０は、ＴＶ番組等を録画した映像のコンテンツを記憶することになる。また、ＤＶＤ（Digital  Versatile  Disk）の映像や、ビデオカメラで撮像した映像等をコンテンツとしてもよい。
【００１７】
また、録画番組記憶部１６０は、コンテンツ毎に当該コンテンツに関するメタデータを関連付けて記憶している。ここで「メタデータ」とは、各コンテンツに固有の特性を示した情報群であって、各コンテンツのタイトルや放送日時等が含まれる。例えば、コンテンツがＴＶ番組の場合には、ＴＶ番組のタイトル、チャンネルや放送日時、出演者、番組内容、ジャンル等の情報（番組情報）がメタデータとなり、コンテンツとともこのメタデータが提供され、録画番組記憶部１６０に記憶される。
【００１８】
図２は、ＴＶ番組をコンテンツとした場合におけるメタデータの一例を示す説明図である。図２に示すメタデータは、ＴＶ番組を録画したコンテンツに関する情報であり、ＴＶ番組のタイトル「お昼のコメディーショー」、チャンネル「○×放送」、放送日時「２００８年８月１日  １２：００〜１２：４０」、出演者「○○△、□□××」、番組内容「今旬の〜世界にいざなう」、ジャンル「お笑い」などの情報が記憶されている。
【００１９】
なお、上記では、メタデータが予め設定された状態で提供される態様を説明したが、これに限定されることなく、リモコンなどの入力装置９０などを介してユーザから入力された情報をメタデータとして、コンテンツと関連付けて録画番組記憶部１６０に記憶する態様としてもよい。
【００２０】
表示部１７０は、文字や画像を表示する液晶画面（ＬＣＤ）などであり、受信したＴＶ番組などのコンテンツや記憶されているコンテンツ、電子番組表、検索画面や、検索結果画面などを表示するものである。
【００２１】
また、表示部１７０は、ユーザがコンテンツの検索を行うために、後述する表示情報生成部１０５により生成されたコンテンツの内容を表わす表示情報を表示する（図３−１、３−２参照）。
【００２２】
放送受信部１０８は、ＴＶ放送により放送された映像のコンテンツ（ＴＶ番組）を、アンテナやケーブル（不図示）を介して受信するものである。
【００２３】
映像再生部１０７は、ユーザが再生を所望する映像のコンテンツ、すなわち放送受信部１０８により受信したＴＶ番組などのコンテンツ、ＩＰＴＶ接続部１８０を介してＩＰＴＶサーバ２００から取得した映像のコンテンツ、または録画番組記憶部１６０に記憶されている映像のコンテンツを取得して、取得したコンテンツをデコード（再生）して、表示制御部１０６に送出するものである。
【００２４】
リモコン操作受付部１０１は、ユーザによりリモコン９０に備えられた操作ボタンが押下されたことを認識し、操作を受け付けるものである。例えば、ユーザが複数のコンテンツから所望のコンテンツを検索し、さらにそのコンテンツと関連するコンテンツを検索する場合、表示部１７０に表示された電子番組表に表示された複数のコンテンツから検索の中心（キー）となるコンテンツ（キーコンテンツ）を、ユーザがリモコン９０に備えられた操作ボタンで選択すると、リモコン操作受付部１０１は、このキーコンテンツの選択操作、すなわちコンテンツの検索を行う旨の操作を受け付ける。
【００２５】
また、再生中のコンテンツをキーコンテンツとしてもよく、その場合には、ユーザがコンテンツの再生中にリモコン９０に備えられた操作ボタンを押下した場合、リモコン操作受付部１０１は、その再生中のコンテンツをキーコンテンツとする選択操作、すなわちコンテンツの検索を行う旨の操作を受け付ける。
【００２６】
また、リモコン操作受付部１０１は、詳細は後述するが、表示部１７０に表示された複数のコンテンツの表示情報が表示された一覧情報から、注目するコンテンツ（注目コンテンツ）の表示情報に対する指示操作を受け付ける。
【００２７】
状態遷移テーブル１５３は、図４に示すように、“状態番号”毎に、“入力”と、“処理”と、状態番号で示された“移動先”と、を対応付けて保持している。“入力”は、リモコン操作受付部１０１において行われた入力操作を示している。“処理”は、“入力”に設定された入力操作が行われた場合に、表示処理装置１００で実行する処理を示している。“移動先”は、“入力”に設定された入力操作が行われた場合に、設定される状態番号を示している。なお、状態番号は、表示制御部１１５が表示する画面毎に割り当てられている番号とする。
【００２８】
例えば、状態番号“０”の画面において、「番組表ボタン」が押下された場合に、表示制御部１１５が、「番組表ボタン」と対応付けられた処理“番組表表示”を行うと共に、「番組表ボタン」と対応付けられた“移動先”を示す状態番号“１”が後述する状態レジスタ１１１の“現在の状態番号”に設定される。
【００２９】
状態レジスタ１１１は、図５に示すように、一つ前の状態番号と、現在の状態番号とを対応付けて記憶している。“一つ前の状態番号”とは、現在の画面より一つ前に表示されていた画面を示す状態番号とする。“現在の状態番号”とは、現在の画面を示す状態番号とする。
【００３０】
状態指示部１１２は、リモコン操作受付部１０１により受け付けられた入力操作に基づいて、状態遷移テーブル１５３により特定された“移動先”の状態番号を、状態レジスタ１１１の“現在の状態番号”に設定すると共に、今まで“現在の状態番号”に設定されていた状態番号を“一つ前の状態番号”に設定する。さらに、状態指示部１１２は、リモコン操作受付部１０１により受け付けられた入力操作に基づいて、状態遷移テーブル１５３から特定された、画面を表示するための“処理”を、表示制御部１１５に出力する。
【００３１】
例えば、状態番号が“０”の画面が表示されているときに、「番組表ボタン」が押された場合、状態指示部１１２は、状態遷移テーブル１５３に対して、「状態番号」が“０”で、「入力」が“番組表ボタン”であるレコードを検索し、当該レコードの「処理」フィールドの内容“番組表表示”を実行するように、表示制御部１０６に指示する。そして、「移動先」に記載された状態番号“１”を現在の状態とする。そして、状態指示部１１２は、前の状態番号“０”と、現在の状態番号“１”とを状態レジスタ１１１に設定する。
【００３２】
情報源対応テーブル１５２は、図６に示すように、メタデータ取得部１０３がメタデータを取得する対象となる情報源を、状態番号と対応付けて保持する。つまり、情報源対応テーブル１５２は、表示される画面毎（状態番号）に、検索対象となる情報源を記憶している。
【００３３】
情報源選択部１０９は、情報源対応テーブル１５２を参照し、メタデータの取得対象となる情報源を選択する。本実施の形態においては、情報源選択部１０９は、状態レジスタ１１１を参照し、“一つ前の状態番号”に設定されていた状態番号が、情報源対応テーブル１５２の状態番号に設定されていた場合に、当該状態番号と対応付けられた情報源を、メタデータの取得対象として選択する。なお、“一つ前の状態番号”に設定された状態番号が、情報源対応テーブル１５２に保持されていない場合、全ての情報源がメタデータの取得対象となる。本実施の形態においては、全ての情報源がメタデータの取得対象となった場合について説明し、第２の実施の形態においては、情報源対応テーブル１５２でメタデータの取得対象となる情報源が絞り込まれる例について説明する。
【００３４】
メタデータ取得テーブル１５１は、後述するメタデータ取得部１０３がメタデータを取得するために必要は情報を保持している。図７に示すように、メタデータ取得テーブル１５１は、情報源ＩＤと、取得モジュールと、オプションと、情報源種類とを対応付けて記憶している。情報源ＩＤは、コンテンツの提供元となる情報源を識別するＩＤとする。取得モジュールは、コンテンツを取得するために用いられるモジュールとする。オプションは、取得モジュールでコンテンツを取得する際に必要な設定等とする。情報源種類は、情報源とグループ化したカテゴリとする。
【００３５】
ところで、インターネットにおいて、提供されている動画サービスとしては、様々な形態のサービスが存在する。コンテンツ会社が提供している動画サービス（情報源）が複数有るし、ユーザが自分で作成した動画をアップロードすることで他の人に対して参照可能に提供している動画サービス（情報源）も複数ある。このような複数の動画サービス（情報源）のコンテンツも一括して全てユーザに対して情報を提供しようとする場合、情報源毎に表示態様を異ならせて表示すると、表示態様が異なるものが多すぎて、かえってユーザがコンテンツを認識するのが難しくなる。
【００３６】
そこで、本実施の形態においては、インターネットを介して提供している動画サービスについては、情報源種類“ＩＰＴＶ”とグルーピングした。このように各情報源をグルーピングし、ＥＰＧ、ＦＩＬＥ、ＩＰＴＶの３種類に情報源種類をまとめ、情報源種類毎に表示態様を異ならせることで、ユーザがコンテンツを認識するのが容易になる。
【００３７】
メタデータ取得部１０３は、リモコン操作受付部１０１により、検索キーによる検索操作を受け付けた場合や、キーコンテンツの選択操作を受け付けた場合、メタデータ取得テーブル１５１に保持されたメタデータの取得手法に基づいて、情報源（コンテンツの提供元）毎に、コンテンツのメタデータを取得する。このメタデータの取得先となる情報源は、情報源選択部１０９により選択された情報源とする。
【００３８】
例えば、メタデータ取得部１０３は、地上デジタルＥＰＧのコンテンツを取得したい場合、メタデータ取得テーブル１５１に登録されている、図示しない電子番組表モジュールを呼び出して、コンテンツのメタデータを要求する。そして、電子番組表モジュールが、録画番組記憶部１６０から各コンテンツのメタデータ取得し、メタデータ取得部１０３に送信する。これにより、メタデータ取得部１０３は、ＥＰＧに登録されているコンテンツのメタデータを取得できる。
【００３９】
また、メタデータ取得部１０３は、ＩＰＴＶ＿Ａサービスのコンテンツを取得したい場合、メタデータ取得テーブル１５１に登録されている、図示しないＩＰＴＶ接続モジュールを呼び出して、コンテンツのメタデータを要求する。そして、ＩＰＴＶ接続モジュールは、ＩＰＴＶ２００サーバに対してコンテンツのメタデータを要求して、該メタデータを取得し、メタデータ取得部１０３に送信する。これにより、メタデータ取得部１０３は、ＩＰＴＶ＿Ａサービスに登録されているコンテンツのメタデータを取得できる。他の提供元が提供しているメタデータについても、同様の手法で取得できる。
【００４０】
ところで、本実施の形態にかかるコンテンツの検索においては、ユーザに入力されたキーワードに基づいてコンテンツの検索を行うキーワード検索と、キーとなるコンテンツに関連するコンテンツを関連度に基づいて配置する関連度検索と、の２種類の検索手法を可能とする。まずはキーワード検索に必要な構成について説明する。
【００４１】
検索キー指定部１１０は、リモコン操作受付部１０１により、検索条件となる文字列（キーワード）の入力操作を受け付けた場合、当該文字列をキーワードとして、後述するメタデータ検索部１０２に対して指定する。なお、リモコン操作受付部１０１により、入力される。なお、リモコン操作受付部１０１でキーワードを入力する手法としては、ソフトウェアキーボードなどが考えられる。
【００４２】
メタデータ検索部１０２は、検索キー指定部１１０により指定されたキーワードが含まれる（検索条件を満足する）メタデータを、メタデータ取得部１０３が取得したメタデータから検出する。そして、メタデータ検索部１０２は、検出したメタデータを、表示制御部１０６に出力する。これにより、表示制御部１１５が、キーワードに基づく検索条件に合致したコンテンツの情報を一覧として表示することができる。
【００４３】
キーワード検索の次に、関連度検索について説明する。メタデータ検索部１０２は、リモコン操作受付部１０１により、キーコンテンツの選択操作を受け付けた場合、メタデータ取得部１０３により取得したコンテンツのメタデータから、キーコンテンツのメタデータを検索し、検索したキーコンテンツのメタデータを関連度算出部１０４に送出する。さらに、メタデータ検索部１０２は、メタデータ取得部１０３により取得したコンテンツのメタデータから、関連度算出部１０４によりメタデータとの関連度を算出する対象となる他のコンテンツのメタデータを検索し、検索した他のコンテンツのメタデータを関連度算出部１０４に送出する。
【００４４】
また、メタデータ検索部１０２は、リモコン操作受付部１０１により、キーコンテンツの選択操作を受け付けた場合、メタデータ取得部１０３により取得した全てのコンテンツのメタデータを表示情報生成部１０５に送出する。
【００４５】
関連度算出部１０４は、メタデータ検索部１０２から送出された選択されたキーコンテンツのメタデータと他のコンテンツのメタデータとに基づいて、キーコンテンツに対する他のコンテンツ各々の関連度を、メタデータに含まれる項目、例えば、タイトル、チャンネルごとに算出するものである。具体的に、関連度ＲＭの算出は、下記式（１）を用いて算出する。
【００４６】
【数１】
2010055429.tif 000003
【００４７】
上記式（１）において、Ｎはメタデータ取得部１０３で取得可能なメタデータの総数を意味している。また、キーコンテンツに対応するメタデータＭ１１（ｎ）、いずれかの他のコンテンツに対応するメタデータＭ２１（ｎ）の「（ｎ）」は、メタデータ取得部１０３で取得されるｎ番目のメタデータを意味している。また、ｆａn（Ｍ１１（ｎ）、Ｍ２１（ｎ））は、メタデータＭ１１（ｎ）とＭ２１（ｎ）との関連度をＲＭnとして返す関数であり、Ｗａnは重みを示す値（ｎ＝１、・・・、Ｎ）である。
【００４８】
ここでメタデータとして取得される情報は上述の通り多岐に渡るが、以下、説明を簡略化するため、メタデータは{録画日時、コンテンツのタイトル、チャンネル、ジャンル、出演者リスト}の５つの集合である（Ｎ＝５）とし、これら５つのメタデータを先頭からｎ＝１、２、・・・、５であるとして説明を進める。
【００４９】
すると、キーコンテンツに対する他のコンテンツの関連度ＲＭは、下記に示した５つの関連度ＲＭ1〜ＲＭ5の重み付き線形和で表すことができる。
ＲＭ1＝ｆａ1（メタデータＭ１１の録画日時、メタデータＭ２１の録画日時）
ＲＭ2＝ｆａ2（メタデータＭ１１のタイトル、メタデータＭ２１のタイトル）
ＲＭ3＝ｆａ3（メタデータＭ１１のチャンネル、メタデータＭ２１のチャンネル）
ＲＭ4＝ｆａ4（メタデータＭ１１のジャンル、メタデータＭ２１のジャンル）
ＲＭ5＝ｆａ5（メタデータＭ１１の出演者リスト、メタデータＭ２１の出演者リスト）
【００５０】
ｆａ1は例えば、録画日時が近い程大きな値をとり、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数などに整数化する関数である。またＭＯ１は任意の定数であり、｜Ｘ｜はＸの大きさを示す関数であり、典型的には絶対値である。
【００５１】
なお、ここでは、ｆａ1（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルムなどを使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００５２】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００５３】
ｆａ2は例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ2の値が大きくなる。なお、番組内容に含まれるキーワードにより関連度を判断する場合も、タイトルと同様に算出することが可能ある。
【００５４】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なすなどといったようなものである。
【００５５】
また、メインの文字列が同じで、サブの文字列が異なる場合には、これらは共通のシリーズのコンテンツであることが多いため、このような場合には、よりｆａ2の値を大きくするなどといったこともあり得る。例えば、“あいうえお＃２”と、“あいうえお＃３”は、同じドラマコンテンツの異なる回であるとみなせるため、このような場合には、ｆａ2の値を２倍するなどといったようなものである。なお、以上での説明はあくまでも一例であり、曖昧検索などの公知の技術を用いたり、正規表現による検索などの公知の技術を用いたりすることで、以上で説明したよりも高度な比較を行うことが可能となる。
【００５６】
ｆａ3は例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ２／２を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００５７】
ｆａ4は例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００５８】
ｆａ5はｆａ4と同様である。例えば、メタデータＭ１１とＭ２１との登場人物リストが夫々「ＷＷ、ＸＸ、ＹＹ」、「ＸＸ、ＹＹ、ＺＺ」の場合には、共通の登場人物は２人となるため、２×ＭＯ４を取り（ここでＭＯ４は任意の定数値）、共通の登場人物が居ない場合には０を取るような関数を用いることができる。また、登場人物にはグループも含まれるため、ある登場人物ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００５９】
同様に、登場グループや登場人物の関係が定義される場合、例えば、グループＸＸとグループＹＹは同じ所属事務所であるなどといったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００６０】
なお、以上では、登場人物リストに登場する人に対して関連度の区別をしない例を示したが、これに限定されるものではない。登場人物リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演などの情報を用いて、主演者に対する関連度の重み付けを変えるようにしてもよい。例えば、主演の場合には算出した関連度を２倍するといったように重み付けを変化させることができる。
【００６１】
表示情報生成部１０５は、メタデータ検索部１０２から送出されたキーコンテンツのメタデータおよび他のコンテンツのメタデータから、キーコンテンツおよび他のコンテンツの内容を表わす表示情報を生成する。具体的には、例えば、表示情報生成部１０５は、コンテンツが録画番組記憶部１６０に記憶された映像データのメタデータに基づいて、当該映像データの代表画像にタイトル等を付随させることで、表示部１７０に表示可能とした表示情報を生成する。また、例えば、表示情報生成部１０５は、コンテンツがＩＰＴＶサーバ２００から取得した映像データのメタデータに基づいて、当該映像データの代表画像にタイトル等を付随させることで、表示部１７０に表示可能とした表示情報を生成する。また、例えば、表示情報生成部１０５は、電子番組表記憶部１５０に記憶された電子番組表に基づいて、ＴＶ番組のタイトル、放送日時、チャンネル、番組内容等を、表示部１７０に表示可能とした表示情報を生成する。
【００６２】
ここで、表示情報の詳細について説明する。図３−１、３−２は、コンテンツの内容を表わす表示情報の一例を示す図である。図３−１では、例えば、録画番組記憶部１６０に記憶された映像データのメタデータに基づいて生成されたキーコンテンツの表示情報Ｃ１である。同図に示すように、キーコンテンツの表示情報Ｃ１は、Ｃ１−１にそのコンテンツの代表画像が表示され、Ｃ１−２にそのコンテンツ（映像）のタイトル「Ｌ３５８△＊６」が表示されている。また、図３−２では、例えば、電子番組表に基づいて生成されたキーコンテンツの表示情報Ｃ１である。同図に示すように、キーコンテンツの表示情報Ｃ１は、Ｃ１−３にチャンネルが表示され、Ｃ１−４にそのコンテンツ（映像）のタイトル「お昼のコメディーショー」、番組内容「今旬の〜世界にいざなう」が表示され、Ｃ１−５に放送日時が表示されている。
【００６３】
情報源種類表示色対応テーブル１５４は、図８に示すように、情報源をグルーピングした“情報源種類”毎に、表示する“色”を保持している。本実施の形態においては、表示する色を変化させるが、表示態様として色以外の表示を情報源種類毎に変化させても良い。
【００６４】
表示制御部１０６は、映像再生部１０７により送出されたコンテンツを表示部１７０に再生表示するものである。
【００６５】
また、表示制御部１０６は、検索キーを用いた検索結果画面として、表示部１７０にコンテンツの情報の一覧等を表示する。図９に示すように、コンテンツの一覧を表示する際、コンテンツの提供元である情報源をグルーピングした情報源種類ごとに色を変えて表示する。図９に示す例では、ＥＰＧから取得したコンテンツの情報の枠内を白色で、ＩＰＴＶやインターネットなどのネットワーク（ＩＰＴＶ）から提供されているコンテンツの情報の枠内を青色（図３においては淡い網掛け）で、録画（ＦＩＬＥ）されたコンテンツの情報の枠内を黄色（図３においては濃い網掛け）で表示されている。
【００６６】
また、表示制御部１０６は、上述したようにリモコン操作受付部１０１がユーザから、任意のコンテンツに関連するコンテンツの検索を行う旨の操作を受け付けた場合、ユーザが検索を行うための、キーコンテンツの表示情報とキーコンテンツに関連性を持つ他のコンテンツの表示情報とを表示した一覧情報を表示する。
【００６７】
一覧情報（類似コンテンツリスト）は、キーコンテンツの表示情報を所望の位置に配置するとともに、当該キーコンテンツの表示情報の位置を中心に同心形状に形成された複数の多角形上であって、リモコン９０に備えられた操作ボタン、例えば十字キーの操作ボタンによる操作方向に沿う形状で、中心から放射方向に向けて項目ごとに分別された所定領域に、中心近傍から関連度の高い順に、他のコンテンツの表示情報をそれぞれ配置した一覧情報を生成し、生成した一覧情報を表示部１７０に表示する。また、他のコンテンツの表示情報は、中心から放射方向に向けて項目毎に分類された所定領域に、中心近傍から関連度が高い順にそれぞれ配置される。また、一覧情報は、キーコンテンツの表示情報の表示サイズを最大とし、中心近傍から離れるに従って他のコンテンツの表示情報の表示サイズを小さくして表示する。
【００６８】
具体的には、表示制御部１０６は、図１０に示すように、キーコンテンツの表示情報Ｃ１の位置を中心とした同心形状に形成された複数の８角形Ｆ１、Ｆ２…上であって、リモコン９０に備えられた操作ボタンによる上下左右の操作方向に沿う形状で、他のコンテンツの表示情報を配置していく。つまり、表示制御部１０６は、８角形Ｆ１の頂点には、他のコンテンツの表示情報Ｃ１１〜１８までの８個の表示情報を配置する。また、表示制御部１０６は、８角形Ｆ２の頂点には、他のコンテンツの表示情報Ｃ２１、２３、２５、２７、２９、３１、３３、３５の８つの表示情報を配置し、それぞれの表示情報の間に、操作方向に沿うように他のコンテンツの表示情報Ｃ２２、２４、２６、２８、３０、３２、３４、３６の８個の表示情報を配置する。以下同様に、８角形の頂点に他のコンテンツの表示情報を８つ配置し、それぞれの表示情報の間にさらに他のコンテンツの表示情報を配置していく。このように他のコンテンツの表示情報を配置すると、いずれの表示情報から上下左右の操作がなされても、その操作方向に沿って、その表示情報以外の表示情報が配置されることになる。
【００６９】
なお、表示制御部１０６が表示情報を表示する際、情報源種別毎に、表示情報の外枠の色を変更して表示する。表示情報の外枠の色は、図９と同様に、情報源種類毎に異ならせる。例えば、ＥＰＧの情報であるＣ３６は、白色で表示され、ＩＰＴＶのコンテンツであるＣ３４は、青色（図３においては淡い網掛け）で表示され、録画（ＦＩＬＥ）されたコンテンツであるＣ１７は、黄色（図３においては濃い網掛け）で表示される。
【００７０】
また、表示制御部１０６は、表示領域を所定のサイズ毎に分割し、分割された表示領域毎に、関連するジャンル毎に表示情報を表示する。本実施の形態においては、図９に示す一覧情報のように、表示領域毎を上下左右に４分割し、上側に「タイトル」、右側に「人物」、下側に「キーワード」、左側に「ジャンル」の項目を表示し、キーコンテンツの表示情報Ｃ１を中心位置として、他のコンテンツの表示情報が中心近傍から外側に向けて配置して表示する。
【００７１】
また、本実施の形態では、上下左右の操作方向に沿う形状で他のコンテンツの表示情報を配置したため、例えば、検索中における注目コンテンツが表示情報Ｃ３０であった場合に、操作ボタンにより左右の指示操作を受け付けると、矢印Ａのように注目コンテンツが変わっていく。また、検索中における注目コンテンツが表示情報Ｃ３０であった場合に、操作ボタンにより上下の指示操作を受け付けると、矢印Ｂのように注目コンテンツが変わっていく。また、例えば、注目コンテンツが表示情報Ｃ１１であった場合に、指示操作を受け付けて右にカーソル１つ分移動すると、表示情報Ｃ３６へ注目コンテンツが変わる。同じく、上にカーソル１つ分移動すると表示情報Ｃ２２へ、左にカーソル１つ分移動すると表示情報Ｃ１２へ、下にカーソル１つ分移動すると表示情報Ｃ１８へ注目コンテンツが変わることになる。これより、リモコン９０の十字キーなどの操作ボタンからの指示操作が行いやすくなる。
【００７２】
次に、以上のように構成された表示処理装置１００による表示情報の表示処理について説明する。図１３は、表示処理装置１００による表示情報の表示処理の流れを示すフローチャートである。
【００７３】
まず、リモコン操作受付部１０１は、リモコン９０の操作ボタンから、検索キーによる検索操作を受け付けるまで待機する（ステップＳ１３０１）。選択操作を受け付けた場合（ステップＳ１３０１：Ｙｅｓ）、検索キー指定部１１０が、ユーザが入力したキーワードを、検索キーワードとして指定する（ステップＳ１３０２）。具体的には、検索キー指定部１１０は、ユーザが入力したキーワードを取得し、変数keywordに代入する。
【００７４】
次に、情報源選択部１０９が、検索画面の一つ前の画面を示す状態番号を、状態レジスタ１１１から取得する（ステップＳ１３０３）。なお、本処理手順で取得した状態番号は、図６に含まれていないものとする。
【００７５】
この場合、情報源選択部１０９は、メタデータの取得先を格納する変数Ｌｉｓｔに、情報源情報全てを設定する（ステップＳ１３０４）。これにより、情報源情報全てがメタデータの取得先として選択されたことになる。本実施の形態においては、変数Listには、{地上デジタルEPG, IPTV Aサービス, IPTV Bサービス, 録画ファイル}が格納される。なお、本実施の形態においては、格納される情報源ＩＤに文字列を用いているが、情報源を識別する数字を格納しても良い。
【００７６】
次に、メタデータ取得部１０３は、変数Ｌｉｓｔが空か否か判断する（ステップＳ１３０５）。メタデータ取得部１０３は、空ではないと判断した場合（ステップＳ１３０５：Ｎｏ）、変数Ｌｉｓｔに設定された情報源情報を一つ取り出し、メタデータの取得先となる情報源情報ｉに代入する（ステップＳ１３０６）。この際、取り出した情報源情報は、変数Ｌｉｓｔから取り除く。例えば、変数Ｌｉｓｔの内容が、{地上デジタルEPG, IPTV Aサービス, IPTV Bサービス, 録画ファイル}であるならば、情報源情報ｉに地上デジタルEPGが代入され、Listの内容は{IPTV Aサービス, IPTV Bサービス,録画ファイル}となる。もし、変数Ｌｉｓｔの内容が{録画ファイル}であるならば、情報源情報ｉは録画ファイルとなり、変数Ｌｉｓｔの内容は空になる。
【００７７】
その後、メタデータ取得部１０３は、情報源情報ｉに対応するメタデータ取得手法と情報源種類情報をメタデータ取得テーブルから取得し、当該メタデータ取得手法により、当該情報源のコンテンツのメタデータ一覧を取得する（ステップＳ１３０７）。
【００７８】
メタデータの取得する方法は、上述したようにメタデータ取得テーブルを参照し、情報源情報ｉと一致する「情報源ＩＤ」を有するレコードを検索し、当該レコードのフィールド“モジュール”で示されたモジュールを、フィールド“オプション”に示されたオプションで起動する。当該モジュールは、オブションで指定された設定に基づいて、メタデータを取得する。得られるメタデータの形式の例としては、図２に示されたフォーマットのように、１つの番組に対して「タイトル」「チャンネル」「放送日時」「出演者」「番組内容」の５つのフィールドで構成される等とする。
【００７９】
なお、本実施の形態においては、メタデータ取得部１０３は、取得可能なコンテンツに関するメタデータをすべて取得するが、個数を限定して取得してもよい。なお、情報源毎にメタデータの形式が異なる場合も想定されるが、本実施の形態においては、メタデータ取得部１０３が、情報源毎に異なるメタデータを、同じ形式にそろえるものとする。
【００８０】
そして、メタデータ検索部１０２は、取得した情報源情報ｉのコンテンツのメタデータ一覧に対して、変数keywordに記録されたキーワードにて検索を行う（ステップＳ１３０８）。これにより、検索キーによる検索条件に合致したコンテンツのメタデータのみが抽出される。メタデータ検索部１０２は、メタデータ全体に対して検索を行ってもよいし、メタデータの特定のフィールド（たとえば「出演者」）のみに絞って検索を行ってもよい。検索の結果として、該当する番組のメタデータが得られる。
【００８１】
次に、メタデータ検索部１０２は、検索条件に合致したメタデータと、情報源種類とを対応付けて、表示制御部１０６に出力する（ステップＳ１３０９）。表示制御部１１５は、入力されたデータをステップＳ１３１０の処理を実行するまで、順次記憶しておく。たとえば、図２に示したメタデータの形式に、「情報源種類」と「情報源ＩＤ」というフィールドを追加してメタデータ毎に記憶しておく。
【００８２】
一方、ステップＳ１３０５において、メタデータ取得部１０３は、Ｌｉｓｔが空と判断した場合（ステップＳ１３０５：Ｙｅｓ）、表示制御部１１５が、入力されたメタデータと共に入力された情報源種類と対応付けられた色を、情報源種類表示色対応テーブル１５４から取得する（ステップＳ１３１０）。
【００８３】
そして、表示制御部１１５が、情報源種類毎に異なる色で、コンテンツのメタデータによる一覧情報を表示する（ステップＳ１３１１）。これにより、検索結果の表示の際には、情報源種類ごとに色が変更された、図９に示す一覧情報を表示できる。検索結果の表示の際には、情報源種類ごとに表示形態を変更する。たとえば図９の例では、情報源種類を色で表現しているが、ほかにも、アイコンや文字でも表現することができる。
【００８４】
また、表示制御部１１５は、情報源種類ごとに表示する内容を変化させてもよい。さらに、表示制御部１１５は、メタデータの一覧情報を表示する際に、特定の条件でソート（たとえば、ユーザの嗜好に従ってソート）して表示しても良い。
【００８５】
上述した処理手順では、キーワード検索の場合について説明したが、他の検索手法を用いても良い。この場合、ステップＳ１３０８においてキーワードによる検索ではなく、他の検索手法に基づいた検索が行われることになる。例えば、関連度検索の場合、コンテンツ毎にキーコンテンツとの関連度（距離）を算出しても良い。この場合、表示制御部１１５において、各コンテンツを示す表示情報が、算出された関連度（距離）に基づいて配置された検索結果画面が表示される。例えば、図１０に示すように、中心にキーとなるコンテンツの表示情報を表示し、その周りに関連度が高いコンテンツ順に表示情報が配置されるような表示方法が考えられる。
【００８６】
この場合も一覧情報の表示と同様に、情報源種類に応じて表示を変化させる。本実施の形態では、図１０のように色で表現するが、枠の形状で種類を表現してもよいし、文字情報で種類を表現しても良い。
【００８７】
図１に戻って、表示制御部１０６は、さらに、スクロール部１２１を備えており、さらに以下の機能を備えている。リモコン操作受付部１０１によりリモコン９０の操作ボタンが押下されることで、注目するコンテンツ（注目コンテンツ）の表示情報を指示する指示操作を受け付けた場合、スクロール部１２１は、その操作方向に一覧情報を所定の表示範囲で移動することでスクロールするものである。このとき、表示制御部１０６は、スクロール部１２１のスクロールによる一覧情報の移動量に関わらず、キーコンテンツの表示情報の表示範囲内への表示を維持する。また、表示制御部１０６は、操作ボタンからの操作により指示されて注目コンテンツとなった他のコンテンツの表示情報の表示サイズを、指示されていない他のコンテンツの表示情報の表示サイズより大きくして表示する。
【００８８】
本実施の形態にかかる表示処理装置１００によれば、コンテンツの提供元（情報源）をグルーピングした情報源種類別に、コンテンツの情報の色を変えることで、コンテンツを提供している情報源が多くとも、適切なグループ毎にコンテンツの認識できるため、ユーザは所望するコンテンツを容易に特定できる。これにより、ユーザは所望するコンテンツを容易に選択し、閲覧することが可能になる。
【００８９】
（第２の実施の形態）
第１の実施の形態では、情報源選択部１０９が全ての情報源情報を検索対象として選択した場合について説明した。第２の実施の形態においては、情報源選択部１０９が状態情報に応じて、検索対象となる情報源情報を絞り込んだ場合について説明する。なお、第２の実施の形態の表示処理装置は、第１の実施の形態の表示処理装置１００と同様の構成を備えているものとして、説明を省略する。
【００９０】
本実施の形態においては、検索対象となる情報源を絞り込むのは、例えば、ユーザが所定の情報源のコンテンツの一覧画面を参照した後に、検索画面を表示した場合には、表示されていたコンテンツが属していた所定の情報源に対する検索要求であると判断される。例えば、電子番組表から、検索画面を呼び出した場合には、当該電子番組表に表示されていたコンテンツに対する検索結果を表示したほうがよいと考えられる。
【００９１】
このため、本実施の形態にかかる表示処理装置１００においては、検索画面の一つ前の画面を示す状態番号に基づいて、検索対象となる情報源を特定した。
【００９２】
次に、以上のように構成された表示処理装置１００による表示情報の表示処理について説明する。図１４は、第２の実施の形態にかかる表示処理装置１００による表示情報の表示処理の流れを示すフローチャートである。
【００９３】
まず、第１の実施の形態の図１３と同様に、ステップＳ１３０１〜１３０３までの処理を行い、状態番号の取得までを行う（ステップＳ１４０１〜Ｓ１４０３）。なお、検索画面の一つ前の画面を示す状態番号を取得できない場合、現在の状態番号を利用すればよい。
【００９４】
その後、情報源選択部１０９は、メタデータの取得先を格納するＬｉｓｔに対して、状態番号と情報源対応テーブル１５２で対応付けられた情報源ＩＤを設定する（ステップＳ１４０４）。これにより、検索画面の一つ前の画面に関連したコンテンツを提供する情報源がメタデータの取得先として選択されたことになる。本実施の形態においては、例えば、検索画面の一つ前の画面を示す状態番号が、番組表を示す状態番号“１”の場合、変数Listには、{地上デジタルEPG}が格納される。
【００９５】
それ以降の処理は、第１の実施の形態の図１３のステップＳ１３０５〜１３１１と同様の処理を行うものとして説明を省略する（ステップＳ１４０５〜Ｓ１４１１）。
【００９６】
本実施の形態にかかる表示処理装置１００においては、第１の実施の形態の効果に加えて、コンテンツの検索対象となる情報源を適切に制限することにより、不要なコンテンツの表示を軽減することで、所望するコンテンツを容易に特定できる。このように、表示対象となるコンテンツの数が適切に抑止されるので、スクロールなど必要コンテンツにたどり着くまでの時間を短縮できる。
【００９７】
（第３の実施の形態）
ユーザが所定のコンテンツの情報を表示している場合に、当該コンテンツに関連する情報源のコンテンツのみ表示すれば良い場合や、情報源で示された提供元との契約等の制限から他の情報源との一括表示が認められない場合等がある。例えば、第１の実施の形態で示した関連度検索の場合、キーコンテンツを検索条件として設定した上で行われる。このような検索を行った場合に、他の情報源で提供されているコンテンツを全て表示すると、検索条件に一致するコンテンツの数は増加するが、ユーザにとって不利益な場合もある。例えば、ユーザが、既に料金を支払って契約した情報源が有る場合に、当該情報源で提供されているコンテンツに関連するコンテンツを検索した時、他の情報源で有料で提供されているコンテンツが検出されても、ユーザは当該コンテンツを見るために再度料金を支払う必要があり、不利益となる可能性がある。また、キーコンテンツの提供している情報源においても、同様のコンテンツを提供している他の情報源に、ユーザが行ってしまうことも考えられ、不利益を生じる可能性も考えられる。
【００９８】
このように、検索条件となるキーコンテンツに応じて、検索対象となる情報源を制限する必要な場合もある。そこで、本実施の形態にかかる表示制御装置においては、キーコンテンツの情報源に応じて、検索対象なる情報源を制限する例について説明する。
【００９９】
図１５に示す表示処理装置１５００は、上述した第１及び２の実施の形態に係る表示処理装置１００とは、情報源対応テーブル１５２が削除され、検索情報源管理テーブル１７０２が追加され、情報源選択部１０９と処理が異なる情報源選択部１７０１を備えた点のみ異なる。なお、本実施の形態の表示処理装置１５００の構成で、第１の実施の形態の表示処理装置１００と共通な構成については説明を省略する。
【０１００】
第１の実施の形態で示した関連度検索は、既に表示されたコンテンツ自身を検索キーとして検索している。このため、メタデータ検索部１０２は、検索時に利用した情報源ＩＤをメタデータの１フィールドして記憶する。これにより、情報源選択部１７０１は、検索キーの属する情報源の情報を容易に得ることができる。
【０１０１】
検索情報源管理テーブル１７０２は、図１６に示すように、“検索キー”（検索対象となるキーコンテンツを提供している情報源）と、“検索対象情報源”を示す情報源ＩＤと、を対応付けて記憶している。これにより、キーコンテンツから、検索対象となる情報源の情報源ＩＤを特定できる。なお、本実施の形態においては、検索情報源管理テーブル１７０２は、検索対象となる情報源の情報源ＩＤが設定されているが、検索対象外となる情報源の情報源ＩＤを設定しても良い。この場合、情報源選択部１７０１は、あらかじめ定められた情報源全ての情報源ＩＤから、「情報源ＩＤ」フィールドに設定されている情報源ＩＤを削除したものが、検索対象として設定される。このように検索対象外となる情報源ＩＤを記憶するのは、所定の情報源について同時表示禁止などの制限を表現する場合に、検索対象外となる「情報源ＩＤ」への記載量を減らすことができ、テーブルの維持管理が容易となる。
【０１０２】
情報源選択部１７０１は、リモコン操作受付部１０１で選択されたキーコンテンツを示す情報源ＩＤをメタデータ検索部１０２から取得し、当該検索キーを示す情報源ＩＤと対応付けられている情報源ＩＤを、検索情報源管理テーブル１７０２から取得する。そして、情報源選択部１７０１は、取得した情報源ＩＤを検索対象となる情報源として選択する。
【０１０３】
なお、他の画面で選択されたコンテンツを検索キーとして、検索画面で検索を行う場合に、第１及び第２の実施の形態のように、予め備えられた情報源対応テーブル１５２を参照し、状態番号から情報源を特定しても良い。もしくは、検索以外の画面からの遷移の場合、第１及び第２の実施の形態で示した検索処理を行い、検索画面内でキーコンテンツが選択された場合に本実施の形態の検索処理を行うことも可能である。
【０１０４】
次に、以上のように構成された表示処理装置１７００による表示情報の表示処理について説明する。図１７は、第３の実施の形態にかかる表示処理装置１７００による表示情報の表示処理の流れを示すフローチャートである。
【０１０５】
まず、リモコン操作受付部１０１は、リモコン９０の操作ボタンから、キーコンテンツによる検索操作を受け付けるまで待機する（ステップＳ１９０１）。選択操作を受け付けた場合（ステップＳ１９０１：Ｙｅｓ）、検索キー指定部１１０から入力されたキーコンテンツを識別する情報に基づいて、メタデータ検索部１０２が、キーコンテンツの情報源ＩＤを特定し、情報源選択部１７０１に出力する（ステップＳ１９０２）。
【０１０６】
その後、情報源選択部１０９は、メタデータの取得先を格納するＬｉｓｔに対して、入力されたキーコンテンツの情報源ＩＤと情報源対応テーブル１５２で対応付けられた検索対象となる情報源ＩＤを設定する（ステップＳ１９０４）。これにより、キーコンテンツ基づいて検索対象となる情報源がメタデータの取得先として選択されたことになる。もし、キーコンテンツの情報源ＩＤが設定されていない場合には、あらかじめ定められた情報源すべてを変数Listに設定する。
【０１０７】
それ以降の処理は、第１の実施の形態の図１３のステップＳ１３０５〜１３１１とほぼ同様の処理を行うものとして説明を省略する（ステップＳ１９０５〜Ｓ１９１１）。但し、ステップＳ１９０８の関連度検索は、ステップＳ１３０８においてキーワード検索とは異なり、コンテンツ毎にキーコンテンツとの関連度（距離）を算出する。そして、ステップＳ１９１１で、表示制御部１１５が、各コンテンツを示す表示情報を、算出された関連度（距離）に基づいて配置した検索結果画面で表示する。
【０１０８】
本実施の形態にかかる表示処理装置１００においては、第１の実施の形態の効果に加えて、コンテンツの検索対象となる情報源を適切に制限することにより、不要なコンテンツの表示を軽減することで、所望するコンテンツを容易に特定できる。このように、表示対象となるコンテンツが削減されるので、スクロールなど必要コンテンツにたどり着くまでの時間を短縮できる。さらに、コンテンツを提供している情報源毎に、提供元及びユーザにとって適切な検索を行うことを可能とすることで、利便性が向上する。
【０１０９】
（変形例）
また、上述した各実施の形態に限定されるものではなく、以下に例示するような種々の変形が可能である。
【０１１０】
上述した第１の実施の形態にかかる表示処理装置１００においては、メタデータ取得部１０３が、情報源ごとにメタデータを取得している。しかしながら、情報源より取得したメタデータを予め記憶しておき、記憶されたメタデータに対して検索を行ってもよい。そこで、本変形例にかかる表示処理装置１５００においては、予めメタデータを記憶している例について説明する。
【０１１１】
図１８は、本変形例にかかる表示処理装置１５００の構成を示すブロック図である。表示処理装置１５００は、上述した第１の実施の形態に係る表示処理装置１００とは、メタデータ取得テーブル１５１とメタデータ取得部１０３とが削除され、メタデータ更新部１５０１とメタデータ記憶部１５１１とが追加され、メタデータ検索部１０２と処理が異なるメタデータ検索部１５０３を備えた点のみ異なる。なお、本実施の形態の表示処理装置１５００の構成で、第１の実施の形態の表示処理装置１００と共通な構成については説明を省略する。
【０１１２】
メタデータ記憶部１５１１は、各情報源から取得したメタデータを、情報源ＩＤ及び情報源種類と対応付けて記憶する。
【０１１３】
メタデータ更新部１５０１は、ＩＰＴＶ接続部１８０や、電子番組表記憶部１５０や、録画番組記憶部１６０から取得したメタデータを、メタデータ記憶部１５１１に記憶する。
【０１１４】
メタデータ検索部１５０３は、検索キー指定部１１０により指定されたキーワードが含まれる（検索条件を満足する）メタデータを、メタデータ記憶部１５１１に記憶されたメタデータから検出する。そして、メタデータ検索部１０２は、検出したメタデータを、表示制御部１０６に出力する。この検索対象となる情報源は、情報源選択部１０９により選択された情報源とする。これにより、表示制御部１１５が、キーワードに基づく検索条件に合致したコンテンツの情報を一覧として表示することができる。
【０１１５】
次に、以上のように構成された表示処理装置１５００による表示情報の表示処理について説明する。図１９は、表示処理装置１５００による表示情報の表示処理の流れを示すフローチャートである。
【０１１６】
まず、リモコン操作受付部１０１は、リモコン９０の操作ボタンから、検索キーによる検索操作を受け付けるまで待機する（ステップＳ１６０１）。選択操作を受け付けた場合（ステップＳ１６０１：Ｙｅｓ）、検索キー指定部１１０が、ユーザが入力したキーワードを、検索キーワードとして指定する（ステップＳ１６０２）。具体的には、検索キー指定部１１０は、ユーザが入力したキーワードを取得し、変数keywordに代入する。
【０１１７】
そして、情報源選択部１０９が、検索画面の一つ前の画面を示す状態番号を、状態レジスタ１１１から取得する（ステップＳ１６０３）。
【０１１８】
その後、情報源選択部１０９は、メタデータの検索対象となる情報源を示す情報源ＩＤを、変数Ｌｉｓｔに設定する（ステップＳ１６０４）。この情報源ＩＤの設定は、第２の実施の形態と同様に、情報源対応テーブル１５２に基づいて設定される。そして、変数Ｌｉｓｔは、メタデータ検索部１５０３に出力される。
【０１１９】
そして、メタデータ検索部１０２は、入力された変数Ｌｉｓｔで設定された情報源ＩＤを検索条件として設定した上で、変数keywordに記録されたキーワードで、メタデータ記憶部１５１１に対して検索する（ステップＳ１６０５）。これにより、選択された情報源及び検索キーによる検索条件に合致したコンテンツのメタデータのみが抽出される。
【０１２０】
次に、メタデータ検索部１５０３は、検索条件に合致したメタデータ（すでに対応付けられている情報源種類及び情報源ＩＤも含む）を、表示制御部１０６に出力する（ステップＳ１６０６）。
【０１２１】
その後、表示制御部１１５が、入力されたメタデータと共に入力された情報源種類と対応付けられた色を、情報源種類表示色対応テーブル１５４から取得する（ステップＳ１６０７）。
【０１２２】
そして、表示制御部１１５が、情報源種類毎に異なる色で、コンテンツのメタデータによる一覧情報を表示する（ステップＳ１６０８）。これにより、検索結果の表示の際には、情報源種類ごとに色が変更された、図９に示す一覧情報を表示できる。
【０１２３】
また、本変形例と同様の構成を第２及び第３の実施の形態においても適用できる。
【０１２４】
本変形例においては、第１の実施の形態と同様の効果を得られる他、予めメタデータを記憶しておくことで、検索速度の向上を図ることができる。
【０１２５】
上述した実施の形態の表示処理装置は、ＣＰＵ２００１と、ＲＯＭ（Read  Only  Memory）２００２と、ＲＡＭ２００３と、通信Ｉ／Ｆ２００４と、表示部１７０に接続する表示Ｉ／Ｆ２００５と、これらを接続するバス２００６とを備えており、通常のコンピュータを利用したハードウェア構成となっている。
【０１２６】
本実施の形態の表示処理装置で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【０１２７】
また、本実施の形態の表示処理装置で実行される表示処理プログラムを、インターネット等のネットワークに接続されたコンピュータ上に格納し、ネットワーク経由でダウンロードさせることにより提供するように構成しても良い。また、本実施の形態の表示処理装置で実行される表示処理プログラムをインターネット等のネットワーク経由で提供または配布するように構成しても良い。
【０１２８】
また、本実施の形態の表示処理プログラムを、ＲＯＭ２００２等に予め組み込んで提供するように構成してもよい。本実施の形態の表示処理装置で実行される表示処理プログラムは、上述した各部（リモコン操作受付部、メタデータ検索部、メタデータ取得部、関連度算出部、表示情報生成部、表示制御部、情報源選択部、検索キー指定部、状態指示部等）を含むモジュール構成となっており、実際のハードウェアとしてはＣＰＵ２００１が上記記憶媒体から表示処理プログラムを読み出して実行することにより上記各部が主記憶装置上にロードされ、リモコン操作受付部、メタデータ検索部、メタデータ取得部、関連度算出部、表示情報生成部、表示制御部、情報源選択部、検索キー指定部、状態指示部などがＲＡＭ（主記憶装置）２００３上に生成されるようになっている。
【図面の簡単な説明】
【０１２９】
【図１】第１の実施の形態にかかる表示処理装置の構成を示すブロック図である。
【図２】ＴＶ番組をコンテンツとした場合におけるメタデータの一例を示す説明図である。
【図３−１】コンテンツの内容を表わす表示情報の一例を示す図である。
【図３−２】コンテンツの内容を表わす表示情報の一例を示す図である。
【図４】状態遷移テーブルのテーブル構造を示した説明図である。
【図５】状態レジスタのテーブル構造を示した説明図である。
【図６】情報源対応テーブルのテーブル構造を示した説明図である。
【図７】メタデータ取得テーブルのテーブル構造を示した説明図である。
【図８】情報源種類表示色対応テーブルのテーブル構造を示した説明図である。
【図９】表示制御部が表示処理するコンテンツの一覧情報の画面の例を示す説明図である。
【図１０】表示情報の表示動作の詳細に関する説明図である。
【図１１】表示情報の表示動作の詳細に関する説明図である。
【図１２】キーコンテンツの表示情報Ｃ１と他のコンテンツの表示情報Ｃ１１〜を配置した一覧情報の一例を示す図である。
【図１３】第１の実施の形態にかかる表示処理装置による表示情報の表示処理の流れを示すフローチャートである。
【図１４】第２の実施の形態にかかる表示処理装置による表示情報の表示処理の流れを示すフローチャートである。
【図１５】第３の実施の形態にかかる表示処理装置の構成を示すブロック図である。
【図１６】第３の実施の形態にかかる検索情報源管理テーブルのテーブル構造を示した説明図である。
【図１７】第３の実施の形態にかかる表示処理装置による表示情報の表示処理の流れを示すフローチャートである。
【図１８】変形例にかかる表示処理装置の構成を示すブロック図である。
【図１９】変形例にかかる表示処理装置による表示情報の表示処理の流れを示すフローチャートである。
【図２０】表示処理装置のハードウェア構成を示す図である。
【符号の説明】
【０１３０】
９０  リモコン
１００、１５００、１７００  表示処理装置
１０１  リモコン操作受付部
１０２、１５０３  メタデータ検索部
１０３  メタデータ取得部
１０４  関連度算出部
１０５  表示情報生成部
１０６  表示制御部
１０７  映像再生部
１０８  放送受信部
１０９、１７０１  情報源選択部
１１０  検索キー指定部
１１１  状態レジスタ
１１２  状態指示部
１１５  表示制御部
１２１  スクロール部
１５０  電子番組表記憶部
１５１  メタデータ取得テーブル
１５２  情報源対応テーブル
１５３  状態遷移テーブル
１５４  情報源種類表示色対応テーブル
１６０  録画番組記憶部
１７０  表示部
１８０  接続部
２００  ＩＰＴＶサーバ
１５０１  メタデータ更新部
１５１１  メタデータ記憶部
１７０２  検索情報源管理テーブル
【図１】
2010055429.tif 000004
【図２】
2010055429.tif 000005
【図３−１】
2010055429.tif 000006
【図３−２】
2010055429.tif 000007
【図４】
2010055429.tif 000008
【図５】
2010055429.tif 000009
【図６】
2010055429.tif 000010
【図７】
2010055429.tif 000011
【図８】
2010055429.tif 000012
【図９】
2010055429.tif 000013
【図１０】
2010055429.tif 000014
【図１１】
2010055429.tif 000015
【図１２】
2010055429.tif 000016
【図１３】
2010055429.tif 000017
【図１４】
2010055429.tif 000018
【図１５】
2010055429.tif 000019
【図１６】
2010055429.tif 000020
【図１７】
2010055429.tif 000021
【図１８】
2010055429.tif 000022
【図１９】
2010055429.tif 000023
【図２０】
2010055429.tif 000024
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
コンテンツの提供元と、当該提供元をグルーピングしたカテゴリを示すカテゴリ情報と、を対応付けて記憶する種別記憶部と、
表示対象となるコンテンツ毎に、前記種別記憶部において、当該コンテンツの提供元と対応付けられたカテゴリ情報を、前記コンテンツの情報と対応付けて取得する取得部と、
前記カテゴリ情報と、カテゴリ情報毎に表示を異ならせるための表示態様と、を対応付けて記憶する表示態様記憶部と、
検索キーとなるコンテンツであるキーコンテンツの選択操作を受け付ける操作受付部と、
選択操作を受け付けた前記キーコンテンツに関連する前記コンテンツの情報を配置した一覧情報を表示すると共に、取得した前記コンテンツの情報毎に、対応付けられた前記カテゴリ情報と、前記表示態様記憶部で対応付けられた前記表示態様で表示する表示部と、
を備えることを特徴とするコンテンツ表示装置。 
【請求項２】
画面情報と、検索対象となる前記コンテンツの提供元と、を対応付けて記憶する対応記憶部と、
選択操作前に表示された画面を示す画面情報を取得する画面情報取得部と、
取得した前記画面情報と前記対応記憶部で対応付けられた前記前記コンテンツの提供元で提供している前記コンテンツと、前記キーコンテンツとの間の関連度を算出す関連度算出部と、をさらに備え、
前記表示部は、前記関連度算出部により算出された関連度に従って、取得した前記コンテンツの情報を配置した一覧情報を表示すること、
を特徴とする請求項１に記載のコンテンツ表示装置。 
【請求項３】
前記対応記憶部は、番組表を示す画面情報と、当該画面情報において表示されていた前記コンテンツの提供元と、を対応付けて記憶すること、
を特徴とする請求項２に記載のコンテンツ表示装置。 
【請求項４】
キーコンテンツの提供元と、当該提供元の場合に表示対象となるコンテンツの提供元とを対応付けて記憶する提供元記憶部と、
キーコンテンツの提供元を取得する提供元取得部と、をさらに備え、
前記関連度算出部は、さらに、取得した前記キーコンテンツの提供元と前記提供元記憶部で対応付けられた前記表示対象となるコンテンツの提供元で、提供している前記コンテンツの情報の関連度を算出すること、
を特徴とする請求項１に記載のコンテンツ表示装置。 
【請求項５】
コンテンツ表示装置で実行されるコンテンツ表示方法であって、
前記コンテンツ表示装置は、コンテンツの提供元と、当該提供元をグルーピングしたカテゴリを示すカテゴリ情報と、を対応付けて記憶する種別記憶部と、
前記カテゴリ情報と、カテゴリ情報毎に表示を異ならせるための表示態様と、を対応付けて記憶する表示態様記憶部と、を備え、
取得部が、表示対象となるコンテンツ毎に、前記種別記憶部において、当該コンテンツの提供元と対応付けられたカテゴリ情報を、前記コンテンツの情報と対応付けて取得する取得ステップと、
操作受付部が、検索キーとなるコンテンツであるキーコンテンツの選択操作を受け付ける操作受付部ステップと、
表示部が、選択操作を受け付けた前記キーコンテンツと関連するコンテンツの情報を配置した一覧情報を表示すると共に、取得した前記コンテンツの情報毎に、対応付けられた前記カテゴリ情報と、前記表示態様記憶部で対応付けられた前記表示態様で表示する表示ステップと、
を含むことを特徴とするコンテンツ表示方法。 
【請求項６】
前記コンテンツ表示装置は、画面情報と、検索対象となる前記コンテンツの提供元と、を対応付けて記憶する対応記憶を、さらに備え、
画面情報取得部が、検索前に表示された画面を示す画面情報を取得する画面情報取得ステップと、
関連度算出部が、取得した前記画面情報と前記対応記憶部で対応付けられた前記前記コンテンツの提供元で提供している前記コンテンツと、前記キーコンテンツとの間の関連度を算出する関連度算出ステップと、をさらに含み、
前記表示ステップは、前記関連度算出ステップにより算出された関連度に従って、取得した前記コンテンツの情報を配置した一覧情報を表示すること、
を特徴とする請求項５に記載のコンテンツ表示方法。
【手続補正２】
【補正対象書類名】明細書
【補正対象項目名】０００７
【補正方法】変更
【補正の内容】
【０００７】
上述した課題を解決し、目的を達成するために、本発明は、コンテンツの提供元と、当該提供元をグルーピングしたカテゴリを示すカテゴリ情報と、を対応付けて記憶する種別記憶部と、表示対象となるコンテンツ毎に、前記種別記憶部において、当該コンテンツの提供元と対応付けられたカテゴリ情報を、前記コンテンツの情報と対応付けて取得する取得部と、前記カテゴリ情報と、カテゴリ情報毎に表示を異ならせるための表示態様と、を対応付けて記憶する表示態様記憶部と、検索キーとなるコンテンツであるキーコンテンツの選択操作を受け付ける操作受付部と、選択操作を受け付けた前記キーコンテンツと関連する前記コンテンツの情報を配置した一覧情報を表示すると共に、取得した前記コンテンツの情報毎に、対応付けられた前記カテゴリ情報と、前記表示態様記憶部で対応付けられた前記表示態様で表示する表示部と、を備えることを特徴とするコンテンツ表示装置である。 
【手続補正３】
【補正対象書類名】明細書
【補正対象項目名】０００８
【補正方法】変更
【補正の内容】
【０００８】
また、本発明は、コンテンツ表示装置で実行されるコンテンツ表示方法であって、前記コンテンツ表示装置は、コンテンツの提供元と、当該提供元をグルーピングしたカテゴリを示すカテゴリ情報と、を対応付けて記憶する種別記憶部と、前記カテゴリ情報と、カテゴリ情報毎に表示を異ならせるための表示態様と、を対応付けて記憶する表示態様記憶部と、を備え、取得部が、表示対象となるコンテンツ毎に、前記種別記憶部において、当該コンテンツの提供元と対応付けられたカテゴリ情報を、前記コンテンツの情報と対応付けて取得する取得ステップと、操作受付部が、検索キーとなるコンテンツであるキーコンテンツの選択操作を受け付ける操作受付部ステップと、表示部が、選択操作を受け付けた前記キーコンテンツと関連する前記コンテンツの情報を配置した一覧情報を表示すると共に、取得した前記コンテンツの情報毎に、対応付けられた前記カテゴリ情報と、前記表示態様記憶部で対応付けられた前記表示態様で表示する表示ステップと、を含むことを特徴とするコンテンツ表示方法である。
【手続補正４】
【補正対象書類名】明細書
【補正対象項目名】０００９
【補正方法】変更
【補正の内容】
【０００９】
本発明によれば、キーコンテンツに関連するコンテンツを配置した一覧情報を表示する際に、コンテンツの提供元をグルーピングしたカテゴリ別に、コンテンツの情報の表示態様を変えることで、提供元が多くともコンテンツの分別が容易になり、ユーザは所望するコンテンツを容易に特定できるという効果を奏する。